(57)【要約】【課題】多様な操作が可能な電子機器を実現する。【解決手段】電子機器（１）は、周縁領域の少なくとも一部に切欠き部（４１）が形成されている表示部（４０）に重畳されたタッチパネル（２０）に対する第１のスライド操作、および前記切欠き部に嵌るように配置された接触センサ（指紋センサ１０）に対する第２のスライド操作が検知された場合に、前記第１のスライド操作または前記第２のスライド操作のいずれか一方が検知された場合とは異なる、特定の処理を実行する制御部（５０）を備えている。【選択図】図１
2020057217.tif 000002
【特許請求の範囲】
【請求項１】
周縁領域の少なくとも一部に切欠き部が形成されている表示部と、
前記表示部に重畳されたタッチパネルと、
前記切欠き部に嵌るように配置された接触センサと、
制御部と、を備え、
前記制御部は、
前記タッチパネルに対する第１のスライド操作、および前記接触センサに対する第２のスライド操作が検知された場合に、前記第１のスライド操作または前記第２のスライド操作のいずれか一方が検知された場合の各処理とは異なる、特定の処理を実行することを特徴とする電子機器。
【請求項２】
前記切欠き部の内部には、前記接触センサの一部が配され、
前記タッチパネルにおける、前記切欠き部の両側の表示領域のそれぞれに対応する領域には、前記第１のスライド操作を検知する側部領域が形成され、
前記制御部は、
２つの前記側部領域の少なくともいずれか一方に対する前記第１のスライド操作、および前記接触センサに対する前記第２のスライド操作が検知された場合に、前記特定の処理を実行することを特徴とする請求項１に記載の電子機器。
【請求項３】
前記切欠き部は、前記周縁領域のうち、前記電子機器の筐体における短手側の端部に対応する短手側周縁領域に形成され、
前記接触センサは、前記短手側周縁領域の延伸方向に沿って延伸していることを特徴とする請求項２に記載の電子機器。
【請求項４】
前記制御部は、前記接触センサにおける所定方向の前記第１のスライド操作が検知された後、前記第１のスライド操作の検知時から所定時間以内に前記タッチパネルにおける前記所定方向と同じ方向の前記第２のスライド操作が検知された場合に、前記特定の処理を実行することを特徴とする請求項１から３のいずれか１項に記載の電子機器。
【請求項５】
前記接触センサが、指紋センサであることを特徴とする請求項１から４のいずれか１項に記載の電子機器。
【請求項６】
周縁領域の少なくとも一部に切欠き部が形成されている表示部と、
前記表示部に重畳されたタッチパネルと、
前記切欠き部に嵌るように配置された接触センサと、を備える電子機器を制御するための制御装置であって、
前記制御装置は、
前記タッチパネルに対する第１のスライド操作、および前記接触センサに対する第２のスライド操作が検知された場合に、前記第１のスライド操作または前記第２のスライド操作のいずれか一方が検知された場合の各処理とは異なる、特定の処理を実行する特定処理部を備えていることを特徴とする制御装置。
【請求項７】
周縁領域の少なくとも一部に切欠き部が形成されている表示部と、
前記表示部に重畳されたタッチパネルと、
前記切欠き部に嵌るように配置された接触センサと、を備える電子機器を制御するための制御方法であって、
前記タッチパネルに対する第１のスライド操作、および前記接触センサに対する第２のスライド操作が検知された場合に、前記第１のスライド操作または前記第２のスライド操作のいずれか一方が検知された場合の処理とは異なる、特定の処理を実行する特定処理ステップを含んでいることを特徴とする制御方法。
【請求項８】
請求項１に記載の電子機器における制御部としてコンピュータを機能させるための制御プログラム。
【発明の詳細な説明】
【技術分野】
【０００１】
本発明は、電子機器、制御装置、制御方法、および制御プログラムに関する。
【背景技術】
【０００２】
スマートフォン等の電子機器は、ユーザの個人情報等の機密情報を適切に保護する観点から、指紋センサ等による生体認証技術が実装されてきている。また、前記指紋センサ等による生体認証のためにユーザが逐一煩わしい操作を行う必要がないように、前記電子機器における前記指紋センサ等の実装態様が工夫されている。さらに、前記指紋センサに、ユーザの指紋を検知する機能と共に、ユーザによるタッチ操作を検知する機能を持たせることで、前記指紋センサによる多様な操作を可能とする方法が提案されている。
【０００３】
例えば、特許文献１には、起動時または操作時に、現行動作に新たな動作を追加することなく自動で、操作の簡便性と機密保持を両立させて、バイオメトリック認証を用いてセキュリティ管理を行うことができる情報処理装置が開示されている。
【先行技術文献】
【特許文献】
【０００４】
【特許文献１】特開２０１３−１４０４４０号公報
【発明の概要】
【発明が解決しようとする課題】
【０００５】
特許文献１に記載の情報処理装置は、タッチパネル操作と指紋センサ操作とを受け付けることが記載されているものの、タッチパネル操作と指紋センサ操作との一組を１つの操作として受け付けることができないという問題がある。例えば、タッチパネルに対するスライド操作と接触センサに対するスライド操作とが連続的に行われた場合に、一連の操作を１つの操作として検知することができない。
【０００６】
本発明の一態様は、上記の問題点に鑑みてなされたものであり、タッチパネルに対するスライド操作、および接触センサに対するスライド操作を合わせて１つの操作として検知し、当該１つの操作に対応する処理を実行できる電子機器を実現することを目的とする。
【課題を解決するための手段】
【０００７】
前記の課題を解決するために、本発明の一態様に係る電子機器は、周縁領域の少なくとも一部に切欠き部が形成されている表示部と、前記表示部に重畳されたタッチパネルと、前記切欠き部に嵌るように配置された接触センサと、制御部と、を備え、前記制御部は、前記タッチパネルに対する第１のスライド操作、および前記接触センサに対する第２のスライド操作が検知された場合に、前記第１のスライド操作または前記第２のスライド操作のいずれか一方が検知された場合の各処理とは異なる、特定の処理を実行する。
【０００８】
本発明の一態様に係る制御装置は、周縁領域の少なくとも一部に切欠き部が形成されている表示部と、前記表示部に重畳されたタッチパネルと、前記切欠き部に嵌るように配置された接触センサと、を備える電子機器を制御するための制御装置であって、前記制御装置は、前記タッチパネルに対する第１のスライド操作、および前記接触センサに対する第２のスライド操作が検知された場合に、前記第１のスライド操作または前記第２のスライド操作のいずれか一方が検知された場合の各処理とは異なる、特定の処理を実行する特定処理部を備えている。
【０００９】
本発明の一態様に係る制御方法は、周縁領域の少なくとも一部に切欠き部が形成されている表示部と、前記表示部に重畳されたタッチパネルと、前記切欠き部に嵌るように配置された接触センサと、を備える電子機器を制御するための制御方法であって、前記タッチパネルに対する第１のスライド操作、および前記接触センサに対する第２のスライド操作が検知された場合に、前記第１のスライド操作または前記第２のスライド操作のいずれか一方が検知された場合の各処理とは異なる、特定の処理を実行する特定処理ステップを含んでいる。
【発明の効果】
【００１０】
本発明の一態様によれば、タッチパネルに対するスライド操作、および接触センサに対するスライド操作を合わせた１つの操作に対応する特定の処理を実行できることから、多様な操作が可能な電子機器を実現することができる。
【図面の簡単な説明】
【００１１】
【図１】（ａ）は本発明の一実施形態に係るスマートフォンを模式的に示す図であり、（ｂ）は前記スマートフォンの操作方法の一例を模式的に示す図である。
【図２】前記スマートフォンの機能ブロック構成を示す図である。
【図３】前記スマートフォンの操作により実行される処理の一例を模式的に示す図である。
【図４】前記スマートフォンが備える制御部による処理の流れの一例を示すフローチャートである。
【発明を実施するための形態】
【００１２】
〔スマートフォンの概要〕
図１の（ａ）は本発明の一実施形態に係るスマートフォン（電子機器）１を模式的に示す図であり、（ｂ）はスマートフォン１の操作方法の一例を模式的に示す図である。図１の（ａ）に示すように、スマートフォン１は、指紋センサ（接触センサ）１０および表示部４０を備える。
【００１３】
表示部４０には、周縁領域の少なくとも一部に切欠き部４１が形成される。切欠き部４１は、表示部４０における周縁領域Ａａのうち、スマートフォン１の筐体における短手側の両端部に対応する短手側周縁領域Ａｓの一方に形成される。また、短手側周縁領域Ａｓにおける、切欠き部４１の形成箇所以外の領域には、表示部４０の一部が切欠き部４１を挟み込むように配される。指紋センサ１０は、切欠き部４１に少なくとも一部が嵌まるように配置される。言い換えれば、指紋センサ１０は、切欠き部４１に嵌まるように、切欠き部４１の内部に指紋センサ１０の一部が配置される。
【００１４】
また、表示部４０には、タッチパネル２０が重畳されている。具体的には、タッチパネル２０が、表示部４０における前記筐体の内部側に配置されている。さらに、タッチパネル２０における、切欠き部４１の両側の表示領域Ａｌ・Ａｒ（図１の（ｂ）参照）のそれぞれに対応する領域には、タッチパネル２０に対するスワイプ操作（第１のスライド操作）を検知する側部領域が形成されている。
【００１５】
なお、切欠き部４１は、短手側周縁領域Ａｓに形成される必要はなく、前記周縁領域におけるいかなる位置に形成されてもよい。切欠き部４１は、例えば、スマートフォン１の筐体における長手側の端部に対応する長手側周縁領域に形成されてもよい。
【００１６】
指紋センサ１０は、ユーザの指紋を検知すると共に、ユーザによるタッチ操作（第１のタッチ操作）を検知する。なお、指紋センサ１０が検知するのはユーザによるタッチ操作に限定されなくてもよい。ここで、タッチ操作とは、ユーザの指等により指紋センサ１０に接触するあらゆる操作を示す。このような操作として、例えば、タップ、長押し、フリック、スワイプ、およびピンチなどの操作が挙げられる。なお、本明細書では、フリック、ドラッグ、およびスワイプを包括して「スライド操作」と称する。また、タッチパネル２０は、指紋センサ１０と同様に、ユーザによるタッチ操作を検知する。以下の説明では、タッチパネル２０に対するスライド操作をタッチパネル操作（第１のスライド操作）と称し、指紋センサ１０に対するスライド操作を指紋センサ操作（第２のスライド操作）と称する。
【００１７】
指紋センサ１０は、表示部４０に形成された切欠き部４１に嵌るように配置されているため、指紋センサ１０の一部と表示部４０の一部とが隣接した配置態様になっている。ここで、「表示部４０の一部」とは、切欠き部４１が形成される側の短手側周縁領域Ａｓを指す。
【００１８】
スマートフォン１の操作方法の一例について、図１の（ｂ）を用いて説明する。図１の（ｂ）は、スマートフォン１の操作方法の一例を模式的に示す図である。
【００１９】
表示部４０のうち、切欠き部４１の両側の表示領域を、図１の（ｂ）に示すように表示領域Ａｌおよび表示領域Ａｒと呼称する。表示領域Ａｌは、表示部４０に向かって切欠き部４１の左側に形成される領域であり、表示領域Ａｒは、表示部４０に向かって切欠き部４１の右側に形成される領域である。タッチパネル２０は表示部４０に重畳されるので、タッチパネル２０において表示領域ＡｌおよびＡｒのそれぞれに対応する領域は、第１のスライド操作を検知する側部領域として形成される。
【００２０】
このとき、ユーザは表示部４０の短手側の端部を略一直線になぞることによって、表示領域Ａｌから指紋センサ１０を通過して、表示領域Ａｒまで連続的にスライド操作を行うことができる。そしてスマートフォンは、表示領域Ａｌおよび表示領域Ａｒの少なくともいずれかにて検知した第１のスライド操作と、指紋センサ１０にて検知した第２のスライド操作との組み合わせ操作を検知し、該組み合わせ操作に応じた処理を実行することができる。
【００２１】
指紋センサ１０は、表示部４０における前記短手側周縁領域Ａｓの延伸方向に沿って延伸する、角丸略長方形状である。このような構成によれば、指紋センサ１０に対して行われる、前記短手側周縁領域Ａｓの延伸方向へのスライド操作が容易に検知可能となる。換言すれば、例えば、指紋センサ１０に対するタップ操作と前記スライド操作との区別が正確に検知可能となる。そのため、前記のように表示領域Ａｌから表示領域Ａｒまで、指紋センサ１０を含む態様によりスライド操作を行った場合に、タッチパネル２０および指紋センサ１０は、これら一連のスライド操作をより正確に検知できる。
【００２２】
なお、指紋センサ１０は、前記角丸略長方形状に限られず、いかなる形状であってもよい。例えば、角丸ではない略矩形状であってもよく、略円形であってもよく、その他のいかなる形状であってもよい。
【００２３】
また、指紋センサ１０は、指紋センサ機能を備えない、単なるタッチセンサであってもよい。このような構成によれば、スマートフォン１等の本発明に係る電子機器が要求する機能に応じて、安価なタッチセンサを搭載することが可能となる。
【００２４】
本発明の一実施態様は、前記のようなタッチパネル２０の側部領域等に対するスライド操作および指紋センサ１０に対するスライド操作の組み合わせ操作を検知し、このような組み合わせ操作に対応する処理を実行できるスマートフォン１である。前記の組み合わせ操作の定義、および組み合わせ操作に対応する処理の例については後述する。
【００２５】
なお、タッチパネル２０の側部領域は、スワイプ操作以外のスライド操作、あるいはタッチ操作を検知するものであってもよい。例えば側部領域は、スライド操作に代えて、あるいはスライド操作に加えてタップ操作等を検知してもよい。
【００２６】
〔スマートフォンの機能的構成〕
図２はスマートフォン１の機能ブロック構成を示す図である。スマートフォン１は、その内部に記憶部３０および制御部（制御装置）５０を備える。
【００２７】
記憶部３０は、スマートフォン１に搭載される各種アプリ、設定情報、ユーザからの入力情報等を記憶する。記憶部３０は、例えばＨＤＤ（Hard Disk Drive）、ＳＳＤ（Solid State Drive）、またはＲＯＭ（Read Only Memory）である。
【００２８】
制御部５０は、例えばＣＰＵ（Central Processing Unit）であり、スマートフォン１の各部を統括して制御する制御装置として機能する。制御部５０は、指紋センサ操作検出部５１、タッチパネル操作検出部５２、組み合わせ操作判定部５３、アプリ実行部５４、および表示制御部５５を含む。
【００２９】
指紋センサ操作検出部５１は、指紋センサ１０へのユーザの指等の接触を検知する。このとき、指紋センサ操作検出部５１は、指紋センサ１０への接触から指紋が読み取れるか否かを判定する。また、指紋センサ操作検出部５１は、指紋センサ１０に対するスライド操作（第２のスライド操作）を検知する。指紋センサ操作検出部５１は、第２のスライド操作の種類、および指紋センサ１０における前記第２のスライド操作が行われた位置等の情報をまとめて、組み合わせ操作判定部５３に出力する。
【００３０】
タッチパネル操作検出部５２は、タッチパネル２０へのユーザの指等の接触を検知する。また、タッチパネル操作検出部５２は、タッチパネル２０に対するスライド操作（第１のスライド操作）を検知する。タッチパネル操作検出部５２は、前記第１のスライド操作の種類、およびタッチパネル２０における前記第１のスライド操作が行われた位置等の情報をまとめて、組み合わせ操作判定部５３に出力する。
【００３１】
組み合わせ操作判定部（処理部）５３は、指紋センサ操作検出部５１およびタッチパネル操作検出部５２からそれぞれ、前記第１および第２のスライド操作の種類等の情報を取得する。ここで、組み合わせ操作判定部５３は、前記第１および第２のスライド操作についての情報が、所定時間以内に取得されたか否かを判定する。換言すれば、組み合わせ操作判定部５３は、前記第１および第２のスライド操作が前記所定時間以内に行われたか否かを判定する。
【００３２】
組み合わせ操作判定部５３は、前記第１および第２のスライド操作が前記所定時間以内に行われたと判定した場合、前記第１および第２のスライド操作は、一組で１つの操作となる組み合わせ操作であると判定する。一方、前記第１および第２のスライド操作が前記所定時間以内に行われなかったと判定した場合、前記第１および第２のスライド操作は、前記組み合わせ操作ではなく、それぞれ個別のスライド操作であると判定する。
【００３３】
組み合わせ操作判定部５３は、前記第１および第２のスライド操作の種類等の情報と、これらの操作が組み合わせ操作であるか否かの判定結果を、アプリ実行部５４に出力する。
【００３４】
組み合わせ操作判定部５３は、さらに第１のスライド操作および第２のスライド操作の方向の組み合わせに基づいて、これらの操作が組み合わせ操作であるか否かを判定してもよい。例えば、所定方向の第１のスライド操作が検知された後、該第１のスライド操作の検知時から所定時間以内に所定方向と同じ方向の第２のスライド操作が検知された場合に、組み合わせ操作判定部５３はこれらの操作が組み合わせであると判定してもよい。
【００３５】
アプリ実行部５４は、組み合わせ操作判定部５３から取得した情報に応じて各種処理を実行することができる。アプリ実行部５４は、タッチパネル２０に対する第１のスライド操作、および指紋センサ１０に対する第２のスライド操作が検知されたとの情報を組み合わせ操作判定部５３から取得した場合、特定の処理を実行する特定処理部として機能する。ここで、特定の処理は、第１のスライド操作または第２のスライド操作のいずれか一方が検知された場合の各処理とは異なるものであってもよい。なお、アプリ実行部５４は、前記組み合わせ操作であるとの判定結果を取得した場合は、前記特定の処理のみを実行する。
【００３６】
このような構成によれば、アプリ実行部５４は、前記組み合わせ操作と判定した場合は前記個別のスライド操作に対応する処理を行わず、組み合わせ操作に対応する処理のみを実行することができる。すなわち、ユーザは、意図通りに前記組み合わせ操作および前記個別のスライド操作を使い分けることができる。
【００３７】
表示制御部５５は、アプリ実行部５４の処理に基づき、表示部４０に表示される内容を略リアルタイムに更新する。
【００３８】
前述したように、制御部５０は、前記所定時間以内に前記第１のスライド操作および前記第２のスライド操作が検知された場合は、前記第１のスライド操作および前記第２のスライド操作の一組で１つの操作となる組み合わせ操作であると判定する。そして、制御部５０は前記組み合わせ操作に対応する特定の処理を実行する。
【００３９】
また、制御部５０は、前記第１のスライド操作または前記第２のスライド操作のいずれか一方が検知された後、当該一方のスライド操作の検知時から前記所定時間が経過した場合に、検知されたスライド操作に対応する処理を実行する。
【００４０】
なお、前記所定時間とは、前記第１および第２のスライド操作の内、先に実行されたスライド操作を検知した時点からの所定の時間であってもよい。また、前記第１および第２のスライド操作とは独立して、制御部５０により連続的に計測される、所定の時間フレームの一つであってもよい。前記所定時間は、例えば、０．１秒であってもよく、０．５秒であってもよく、１秒であってもよく、２秒であってもよい。前記所定時間が短いほど、個別のスライド操作を検知しやすくなり、前記所定時間が長いほど、前記組み合わせ操作を検知しやすくなる。
【００４１】
また、前記組み合わせ操作は、単一の前記第１のスライド操作および単一の前記第２のスライド操作のみ含むものである必要はなく、いずれか一方または両方のタッチ操作が複数回含まれるものであってもよい。このような構成によれば、スマートフォン１は、様々なタッチ操作の組み合わせからなる多様な組み合わせ操作を検知することができるため、多様な処理をアプリ実行部５４に行わせることができる。
【００４２】
また、前記組み合わせ操作に含まれる前記第１および第２のスライド操作は、同時に行われたものであってもよい。このような場合として、例えば、ユーザの指が指紋センサ１０およびタッチパネル２０の境界に接触し、指紋センサ１０およびタッチパネル２０が同時にスライド操作を検知した場合が挙げられる。または、ユーザが２本指で指紋センサ１０およびタッチパネル２０の各々に対して同時にスライド操作を行った場合が挙げられる。
【００４３】
すなわち、制御部５０は、前記第１のスライド操作と前記第２のスライド操作とが同時に検知された場合に、前記特定の処理を実行してもよい。
【００４４】
このような構成によれば、ユーザは素早く組み合わせ操作を行うことができる。また、スマートフォン１は、より多様な組み合わせ操作を検知することができるため、より多様な処理をアプリ実行部５４に行わせることができる。
【００４５】
〔処理例〕
（概要）
図３は、スマートフォン１の操作により実行される処理の一例を模式的に示す図である。図３に示すように、表示部４０にホーム画像４０１が表示されているスマートフォン１は、ユーザによる指紋センサ１０への右スワイプ操作（右方向へのスライド操作）を検知した場合、表示をオーバービュー画像４０２に切り替える処理を行う。オーバービュー画像４０２は、スマートフォン１が現在バックグラウンド起動中のアプリケーション（以下、「アプリ」とする）の一覧を表示する画像である。図３の例において、ホーム画像４０１およびオーバービュー画像４０２にはアプリケーションを示すアイコン画像の他に、ホームボタン１００が表示されている。ホームボタン１００は、ユーザがタッチ操作を実行した場合にアプリケーションの起動とは別の動作を実行可能なボタンである。なお、ホームボタン１００は表示されてもよいし、されなくてもよい。
【００４６】
このとき、ユーザが指紋センサ１０の右端を越えてタッチパネル２０に入り、該タッチパネル２０上で継続して右スワイプ操作を行うと、スマートフォン１は、指紋センサ１０およびタッチパネル２０に対する右スワイプ操作の組み合わせ操作であると判定する。そして、前記組み合わせ操作に対応してスマートフォン１は、特定の処理として表示部４０の表示内容をオーバービュー画像４０２からスクロール画像４０３Ａに変更する変更処理を実行する。すなわち、スマートフォン１はタッチパネル２０に対する第１のスライド操作として右方向へのスライド操作が検知され、かつ指紋センサ１０に対する第２のスライド操作として右方向へのスライド操作が検知された場合に、変更処理を実行する。
【００４７】
スクロール画像４０３Ａには、スマートフォン１がこれまでに実行したことのあるアプリの一覧が、左右にスクロール可能なように並べて表示される。スクロール画像４０３Ａにはスクロールバー１０１が表示されている。ユーザは、スクロールバー１０１に対してスライド操作を行うことにより、アプリの一覧に表示されているそれぞれのアプリ表示を、スクロール画像４０３Ａの短手方向に、左右に順次スクロールさせることができる（スクロール画像４０３Ａ）。
【００４８】
スクロール画像４０３Ａにおいて、ユーザが目的のアプリ表示に到達した状態で（スクロール画像４０３Ｂ）、ユーザがタッチパネル２０から指を離したら、スマートフォン１は、前記目的のアプリをアクティブにし、アプリ画像４０４を表示する。
【００４９】
このように、スマートフォン１は、指紋センサ１０に対する右スワイプ操作および表示部４０に対する右スワイプ操作を１つの操作として検知した場合は、特定の処理としてスクロール画像４０３Ａおよび４０３Ｂの表示を実行することができる。そのため、指紋センサ１０に対する右スワイプ操作のみ、またはタッチパネル２０に対する右スワイプ操作のみに対応する処理とは異なる、組み合わせ操作に対応する処理を実行することができる。したがって、ユーザは、指紋センサ１０周辺のスワイプ操作のみの、指を大きく動かすことを必要としない簡便な操作により、多様な機能を実行することができる。
【００５０】
（処理の流れ）
スマートフォン１が実行する処理の流れについて、図４を用いて説明する。図４は、スマートフォン１が実行する処理の流れの一例を示すフローチャートである。なお、以下の説明において表示部４０にはホーム画像４０１が表示中、または表示されていたものとする。
【００５１】
まず、指紋センサ操作検出部５１が指紋センサ１０に対するユーザの指等の接触を検知すると（Ｓ１でＹＥＳ）、制御部５０はスマートフォン１の現在の状態がロック中であるか否かを判定する（Ｓ２）。ロック中であると判定した場合（Ｓ２でＹＥＳ）、制御部５０はスマートフォン１のロックを解除する（Ｓ３）。その後、制御部５０はロックの解除が成功したか否かを判定する（Ｓ４）。一方、ロック中でないと判定した場合（Ｓ２でＮＯ）、処理は後述するＳ５へ進む。
【００５２】
Ｓ４において、ロックの解除が成功したと判定した場合（Ｓ４でＹＥＳ）、処理はＳ５へ進む。一方、ロックの解除が成功しなかったと判定した場合（Ｓ４でＮＯ）、処理はＳ１へ進み、Ｓ１〜Ｓ４の処理を再度実行する。
【００５３】
Ｓ５において、制御部５０はスマートフォンの現在の状態がスリープ中であるか否かを判定する（Ｓ５）。スリープ中であると判定した場合（Ｓ５でＹＥＳ）、制御部５０はスリープ状態から復帰するための各種処理を実行し、表示制御部５５は表示部４０に対してホーム画像４０１の表示を再開する（Ｓ６）。その後、処理は後述するＳ７へ進む。一方、スリープ中ではないと判定した場合（Ｓ５でＮＯ）、処理は後述するＳ７へ直接進む。
【００５４】
Ｓ７において、指紋センサ操作検出部５１は指紋センサ１０に対する右スワイプ操作（第２のスライド操作）を検知したか否かを判定する（Ｓ７）。右スワイプ操作を検知したと判定した場合（Ｓ７でＹＥＳ）、アプリ実行部５４はオーバービュー画像４０２を生成して表示部４０に表示させる（Ｓ８）。その後、処理はＳ１０へ進む。一方、右スワイプ操作を検知しなかったと判定した場合（Ｓ７でＮＯ）、制御部５０は指紋センサ１０上で行われた各種操作（ジェスチャ）に応じた処理を実行した後（Ｓ９）、一連の処理を終了する。
【００５５】
Ｓ１０において、組み合わせ操作判定部５３は、Ｓ７で指紋センサ操作検出部５１が右スワイプ操作を検知してから所定時間以内にタッチパネル操作検出部５２が右ドラッグ操作（第１のスライド操作）を検知したか否かを判定する（Ｓ１０）。右ドラッグ操作を検知したと判定した場合（Ｓ１０でＹＥＳ）、アプリ実行部５４はスクロール画像４０３Ａまたは４０３Ｂを生成して表示部４０に表示させる（Ｓ１１）。処理はその後、後述するＳ１２へ進む。一方、右ドラッグ操作を検知しなかったと判定した場合（Ｓ１０でＮＯ）、一連の処理を終了する。
【００５６】
Ｓ１２において、組み合わせ操作判定部５３は、スクロール画像４０３Ａまたは４０３Ｂに設けられているスクロールバー１０１に対して、タッチパネル操作検出部５２が右ドラッグ操作を検知したか否かを判定する（Ｓ１２）。スクロールバー１０１に対する右ドラッグ操作を検知したと判定した場合（Ｓ１２でＹＥＳ）、アプリ実行部５４は特定の処理として、中央に表示されるアプリを１つ右にずらしたスクロール画像４０３Ａまたは４０３Ｂを生成して表示部４０に表示させる（Ｓ１３：特定処理ステップ）。その後、処理はＳ１１へ進み、Ｓ１１〜Ｓ１３の処理を再度実行する。一方、スクロールバー１０１に対する右ドラッグ操作を検知しなかったと判定した場合（Ｓ１２でＮＯ）、後述するＳ１４の処理に進む。
【００５７】
Ｓ１４において、組み合わせ操作判定部５３は、スクロール画像４０３Ａまたは４０３Ｂに設けられているスクロールバー１０１に対して、タッチパネル操作検出部５２が左ドラッグ操作を検知したか否かを判定する（Ｓ１４）。スクロールバー１０１に対する左ドラッグ操作を検知したと判定した場合（Ｓ１４でＹＥＳ）、アプリ実行部５４は特定の処理として、中央に表示されるアプリを１つ左にずらしたスクロール画像４０３Ａまたは４０３Ｂを生成して表示部４０に表示させる（Ｓ１５：特定処理ステップ）。その後、処理はＳ１１へ進み、Ｓ１１〜Ｓ１５の処理を再度実行する。一方、スクロールバー１０１に対する左ドラッグ操作を検知しなかったと判定した場合（Ｓ１４でＮＯ）、後述するＳ１６の処理に進む。
【００５８】
Ｓ１６において、組み合わせ操作判定部５３は、タッチパネル操作検出部５２がタッチパネル２０に対するタッチ操作の終了を検知したか否かを判定する（Ｓ１６）。タッチ操作の終了を検知したと判定した場合（Ｓ１６でＹＥＳ）、アプリ実行部５４はタッチ操作の終了を検知した時点でスクロール画像４０３Ａまたは４０３Ｂの中央に表示されていたアプリをアクティブにしたアプリ画像４０４を生成して表示部４０に表示させる（Ｓ１７）。その後、処理はＳ１１へ進み、Ｓ１１〜Ｓ１７の処理を再度実行する。
【００５９】
以上の処理によって、スマートフォン１はタッチパネル２０に対する第１のスライド操作および指紋センサ１０に対する第２のスライド操作を検知すると、特定の処理を実行することができる。すなわち、タッチパネル２０に対するスライド操作、および指紋センサ１０に対するスライド操作を組み合わせた操作を１つの操作として検知できる電子機器を実現することができる。
【００６０】
なお、特定の処理は第１のスライド操作および第２のスライド操作のいずれか一方のみ検知された場合の各処理とは異なる処理として設定することができる。そのため、スマートフォン１がユーザの入力内容に対して実行可能な処理のバリエーションを増やすことができる。
【００６１】
〔変形例〕
図３を再度参照して、変形例について説明する。図３に示すように、スマートフォン１の表示部４０に表示されるホーム画像４０１等には、ホームボタン１００が表示されている。スマートフォン１は、例えば表示部４０にホーム画像４０１を表示中にホームボタン１００に対する右スワイプ操作をタッチパネル操作検出部５２が検知した場合に、表示する画像をオーバービュー画像４０２に変更することができる。このときスマートフォン１は表示する画像とともに、ホームボタン１００の表示に代えてスクロールバー１０１の表示を行うことができる。そして、ユーザはスクロールバー１０１に対してスライド操作を行うことにより、前述した動作例と同様にアプリの一覧に表示されているそれぞれのアプリ表示を、スクロール画像４０３Ａの短手方向に、左右に順次スクロールさせることができる。
【００６２】
このように、指紋センサ１０およびタッチパネル２０を用いた組み合わせ操作に対応する特定の処理が、タッチパネル２０のみを用いた操作に対応してもよいし、指紋センサ１０のみを用いた操作に対応してもよい。このような構成によれば、ユーザは、指紋センサ１０周辺のスワイプ操作のみの、指を大きく動かすことを必要としない簡便な操作により、指紋センサ１０周辺に対する種々の組み合わせ操作を行うことで、前記アプリに対する各種処理を簡便に行うことができる。
【００６３】
〔ソフトウェアによる実現例〕
制御部５０の制御ブロック（特に組み合わせ操作判定部５３およびアプリ実行部５４）は、集積回路（ＩＣチップ）等に形成された論理回路（ハードウェア）によって実現してもよいし、ソフトウェアによって実現してもよい。
【００６４】
後者の場合、制御部５０は、各機能を実現するソフトウェアであるプログラムの命令を実行するコンピュータを備えている。このコンピュータは、例えば少なくとも１つのプロセッサ（制御装置）を備えていると共に、前記プログラムを記憶したコンピュータ読み取り可能な少なくとも１つの記録媒体を備えている。そして、前記コンピュータにおいて、前記プロセッサが前記プログラムを前記記録媒体から読み取って実行することにより、本発明の目的が達成される。前記プロセッサとしては、例えばＣＰＵ（Central Processing Unit）を用いることができる。前記記録媒体としては、「一時的でない有形の媒体」、例えば、ＲＯＭ（Read Only Memory）等の他、テープ、ディスク、カード、半導体メモリ、プログラマブルな論理回路などを用いることができる。また、前記プログラムを展開するＲＡＭ（Random Access Memory）などをさらに備えていてもよい。また、前記プログラムは、該プログラムを伝送可能な任意の伝送媒体（通信ネットワークや放送波等）を介して前記コンピュータに供給されてもよい。なお、本発明の一態様は、前記プログラムが電子的な伝送によって具現化された、搬送波に埋め込まれたデータ信号の形態でも実現され得る。
【００６５】
〔まとめ〕
本発明の態様１に係る電子機器（スマートフォン１）は、周縁領域（Ａａ）の少なくとも一部に切欠き部（４１）が形成されている表示部（４０）と、前記表示部（４０）に重畳されたタッチパネル（２０）と、前記切欠き部（４１）に嵌るように配置された接触センサ（指紋センサ１０）と、制御部（５０）と、を備え、前記制御部（５０）は、前記タッチパネル（２０）に対する第１のスライド操作、および前記接触センサ（指紋センサ１０）に対する第２のスライド操作が検知された場合に、前記第１のスライド操作または前記第２のスライド操作のいずれか一方が検知された場合の各処理とは異なる、特定の処理を実行する。
【００６６】
前記の構成によれば、電子機器は、タッチパネルに対する第１のスライド操作および接触センサに対する第２のスライド操作を検知すると、第１のスライド操作に対応する処理、および第２のスライド操作に対応する処理のそれぞれと異なる特定の処理を実行することができる。これにより、単一のスライド操作に対応する個別の処理に加えて、複数のスライド操作の組み合わせによる特定の処理まで行うことが可能になる。そのため、電子機器における、ユーザ操作に対応する処理のバリエーションを増やすことができる。
【００６７】
本発明の態様２に係る電子機器（スマートフォン１）は、前記態様１において、前記切欠き部（４１）の内部には、前記接触センサ（指紋センサ１０）の一部が配され、前記タッチパネル（２０）における、前記切欠き部（４１）の両側の表示領域（Ａｌ、Ａｒ）のそれぞれに対応する領域には、前記第１のスライド操作を検知する側部領域が形成され、前記制御部（５０）は、２つの前記側部領域の少なくともいずれか一方に対する前記第１のスライド操作、および前記接触センサ（指紋センサ１０）に対する前記第２のスライド操作が検知された場合に、前記特定の処理を実行してもよい。
【００６８】
前記の構成によれば、２つの側部領域のそれぞれに対応する表示領域と接触センサとが近接し、直列的に配置される。したがって、ユーザは、第１および第２のスライド操作を２つの表示領域と接触センサとの配置方向に沿って連続的に、短時間で行うことができる。
【００６９】
本発明の態様３に係る電子機器（スマートフォン１）は、前記態様２において、前記切欠き部（４１）は、前記周縁領域（Ａａ）のうち、前記電子機器（スマートフォン１）の筐体における短手側の端部に対応する短手側周縁領域（Ａｓ）に形成され、前記接触センサ（指紋センサ１０）は、前記短手側周縁領域（Ａｓ）の延伸方向に沿って延伸していてもよい。
【００７０】
前記の構成によれば、ユーザは、例えば片手で電子機器を把持した状態において、連続的な第１および第２のスライド操作を容易に行うことができる。また、接触センサが短手側周縁領域の延伸方向に沿って延伸していることから、ユーザは、短手側周縁領域の延伸方向への第２のスライド操作自体も容易に行うことができる。
【００７１】
本発明の態様４に係る電子機器（スマートフォン１）は、前記態様１から３のいずれかにおいて、前記制御部（５０）は、前記接触センサ（指紋センサ１０）における所定方向の前記第１のスライド操作が検知された後、前記第１のスライド操作の検知時から所定時間以内に前記タッチパネル（２０）における前記所定方向と同じ方向の前記第２のスライド操作が検知された場合に、前記特定の処理を実行してもよい。
【００７２】
前記の構成によれば、電子機器は、スライド操作に関して特定の条件を充足した場合に特定の処理を実行する。これにより、特定の処理がスライド操作の誤操作に基づいて実行されることを抑制することができる。
【００７３】
本発明の態様５に係る電子機器（スマートフォン１）は、前記態様１から４のいずれかにおいて、前記接触センサ（指紋センサ１０）が、指紋センサであってもよい。前記の構成によれば、電子機器はタッチパネル操作および指紋センサ操作を組み合わせた操作を１つの操作として検知できる。
【００７４】
本発明の態様６に係る制御装置（制御部５０）は、周縁領域の少なくとも一部に切欠き部（４１）が形成されている表示部（４０）と、前記表示部（４０）に重畳されたタッチパネル（２０）と、前記切欠き部（４１）に嵌るように配置された接触センサ（指紋センサ１０）と、を備える電子機器（スマートフォン１）を制御するための制御装置（制御部５０）であって、前記制御装置（制御部５０）は、前記タッチパネル（２０）に対する第１のスライド操作、および前記接触センサ（指紋センサ１０）に対する第２のスライド操作が検知された場合に、前記第１のスライド操作または前記第２のスライド操作のいずれか一方が検知された場合の各処理とは異なる、特定の処理を実行する特定処理部（組み合わせ操作判定部５３、アプリ実行部５４）を備えている。前記の構成によれば、前記態様１に係る電子機器と同様の作用効果を奏する。
【００７５】
本発明の態様７に係る制御方法は、周縁領域の少なくとも一部に切欠き部（４１）が形成されている表示部（４０）と、前記表示部（４０）に重畳されたタッチパネル（２０）と、前記切欠き部（４１）に嵌るように配置された接触センサ（指紋センサ１０）と、を備える電子機器（スマートフォン１）を制御するための制御方法であって、前記タッチパネル（２０）に対する第１のスライド操作、および前記接触センサ（指紋センサ１０）に対する第２のスライド操作が検知された場合に、前記第１のスライド操作または前記第２のスライド操作のいずれか一方が検知された場合の各処理とは異なる、特定の処理を実行する特定処理ステップを含んでいる。前記の構成によれば、前記態様１に係る電子機器と同様の作用効果を奏する。
【００７６】
本発明の各態様に係る制御部（５０）は、コンピュータによって実現してもよく、この場合には、コンピュータを制御部（５０）が備える各部（ソフトウェア要素）として動作させることにより制御部（５０）をコンピュータにて実現させる制御装置の制御プログラム、およびそれを記録したコンピュータ読み取り可能な記録媒体も、本発明の範疇に入る。
【００７７】
〔付記事項〕
また、本発明は前述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００７８】
１  スマートフォン
１０  指紋センサ
２０  タッチパネル
３０  記憶部
４０  表示部
４１  切欠き部
４０１  ホーム画像
４０２  オーバービュー画像
４０３Ａ、４０３Ｂ  スクロール画像
４０４  アプリ画像
５０  制御部（制御装置）
５１  指紋センサ操作検出部
５２  タッチパネル操作検出部
５３  組み合わせ操作判定部（特定処理部）
５４  アプリ実行部（特定処理部）
５５  表示制御部
Ａａ  周縁領域
Ａｓ  短手側周縁領域（表示部の一部）
Ａｌ、Ａｒ  表示領域
【図１】
2020057217.tif 000003
【図２】
2020057217.tif 000004
【図３】
2020057217.tif 000005
【図４】
2020057217.tif 000006